(57)【特許請求の範囲】
【請求項１】
金種別に硬貨を収納する硬貨収納部を有する硬貨出金装置と、
前記硬貨出金装置が載置され、金種別に紙幣を収納する紙幣収納部と、前記紙幣収納部に収納された紙幣または前記硬貨収納部に収納された硬貨を回収するための貨幣回収容器を出し入れ自在に収納する回収容器収納スペースと、商品販売データ処理装置から受信した各種指示を伝える信号が前記硬貨出金装置への指示を伝えるものであれば、前記硬貨出金装置へ前記信号を伝達する信号転送手段と、を有する紙幣出金装置と、
前記硬貨収納部から前記回収容器収納スペース内の前記貨幣回収容器内に至る硬貨回収のための回収時硬貨搬送経路と、
を備える貨幣出金装置。
【請求項２】
前記回収時硬貨搬送経路は、硬貨を払い出す際の硬貨搬送経路から分岐して前記貨幣回収容器に至るよう形成され、分岐点にいずれかの経路を選択する切替部が設けられている
請求項１に記載の貨幣出金装置。
【請求項３】
前記硬貨出金装置は、払い出した硬貨を受け止める受け皿と、当該受け皿に設けられ開閉自在なシャッタと、を備え、
前記回収時硬貨搬送経路は、前記シャッタを開放することにより硬貨を払い出す際の硬貨搬送経路の終端を選択的に延長させて前記貨幣回収容器に至るよう形成されている
請求項１に記載の貨幣出金装置。
【請求項４】
前記紙幣収納部および前記回収容器収納スペースを収めた筐体と前記硬貨収納部を収めた筐体とが別体であって、
一方の筐体を他方の筐体に固定することにより一体化させる留め具を備える
請求項１〜３のいずれか１に記載の貨幣出金装置。
【請求項５】
紙幣収納部と、
前記紙幣収納部を収めるものであって、硬貨出金装置が載置される筐体と、
前記筐体内に設けられ貨幣回収容器を出し入れ自在に収納する回収容器収納スペースと、
前記筐体の上面であって前記回収容器収納スペースの上にあたる位置に形成され、前記硬貨出金装置から払い出される硬貨が通る孔と、
商品販売データ処理装置から受信した各種指示を伝える信号が前記硬貨出金装置への指示を伝えるものであれば、前記硬貨出金装置へ前記信号を伝達する信号転送手段と、
を備える紙幣出金装置。
【発明の詳細な説明】
【技術分野】
【０００１】
本発明の実施形態は、貨幣出金装置、紙幣出金装置および硬貨回収方法に関する。
【背景技術】
【０００２】
従来、ＰＯＳ端末やＥＣＲ等の電子機器に接続して使用するのに適した貨幣出金装置が知られている。このような貨幣出金装置として、紙幣出金装置と硬貨出金装置とを合わせたものがある。
紙幣出金装置および硬貨出金装置には、例えば、それぞれの投入口から投入された貨幣を筐体内へ搬送し、選別部で金種別に選別して収納部に収納し、ＰＯＳ端末等からの払出し指示に基づいて収納部から貨幣を取り出すように構成した紙幣入出金装置および硬貨入出金装置がある。
【発明の概要】
【発明が解決しようとする課題】
【０００３】
多くの場合、紙幣出金装置と硬貨出金装置とは、水平方向に横並びに配されて用いられている。この場合、設置スペースが大きくなりがちであり、省スペースを望むユーザには不都合である。
【０００４】
また、多くの場合、紙幣出金装置と硬貨出金装置との取扱方法は共通していないので、ユーザは、各貨幣出金装置の取扱方法を学習しなければならない。
例えば、各貨幣出金装置に収納された貨幣を回収する際の作業として、回収容器の取り付けがあるが、各貨幣出金装置の構造が異なっていれば、回収容器の取り付け方も異なる。貨幣出金装置の取り扱いが未熟で回収容器の取り付け状態に不備を生じさせれば、貨幣出金装置から排出された貨幣が回収容器に正しく回収されずに貨幣出金装置の外へ零れ落ちてしまう不都合を発生させるおそれがある。
【課題を解決するための手段】
【０００５】
実施形態の貨幣出金装置は、硬貨出金装置と、紙幣出金装置と、回収時硬貨搬送経路とを備える。
硬貨出金装置は、金種別に硬貨を収納する。
紙幣出金装置は、硬貨出金装置が載置され、紙幣収納部と、回収容器収納スペースと、信号転送手段と、を有する。紙幣収納部は、金種別に紙幣を収納する。回収容器収納スペースは、貨幣回収容器を出し入れ自在に収納する。貨幣回収容器は、紙幣収納部に収納された紙幣または硬貨収納部に収納された硬貨を回収するためのものである。信号転送手段は、商品販売データ処理装置から受信した各種指示を伝える信号が前記硬貨出金装置への指示を伝えるものであれば、前記硬貨出金装置へ前記信号を伝達する。
回収時硬貨搬送経路は、硬貨収納部から回収容器収納スペース内の貨幣回収容器内に至る硬貨回収のためのものである。
【図面の簡単な説明】
【０００６】
【図１】図１は、本実施形態の貨幣入出金装置の外観を示す斜視図である。
【図２】図２は、紙幣入出金装置の一部の構造を説明する斜視図である。
【図３】図３は、回収カセットの構造を示す縦断正面図である。
【図４】図４は、カセット収納スペースに回収カセットを収納した様子を示す縦断正面図である。
【図５】図５は、硬貨払出口周辺の構造を模式的に示した縦断右側面図であり、（ａ）は、硬貨の払出しが実行可能である状態のもの、（ｂ）は、硬貨の回収が実行可能である状態のものである。
【図６】図６は、貨幣入出金装置の機能構成を示すブロック図である。
【図７】図７は、貨幣回収処理の流れを示すフローチャートである。
【発明を実施するための形態】
【０００７】
以下、添付図面を参照して、貨幣出金装置の一実施形態としての貨幣入出金装置１、紙幣出金装置の一実施形態としての紙幣入出金装置２および硬貨回収方法の一実施形態を説明する。また、本実施形態では、商品販売データ処理装置の一実施形態でありスーパーマーケット等の店舗で使用されるＰＯＳ端末１００（図６参照）に接続されて用いられる場合を例に説明する。
【０００８】
図１は、本実施形態の貨幣入出金装置１の外観を示す斜視図である。図１には、オペレータにとっての手前側つまりオペレータが対向する側を手前に、オペレータにとっての奥側を奥にして示してある。以降、図面を用いた説明での上下左右、手前、奥、正面等の表現は、オペレータが対面する面を正面としたときのものである。
【０００９】
貨幣入出金装置１は、紙幣入出金装置２と、硬貨入出金装置３とを備えている。紙幣入出金装置２と硬貨入出金装置３とは、ともに箱型の装置であって、本実施形態の硬貨入出金装置３は、紙幣入出金装置２に載置されて用いられる。
ＰＯＳ端末１００は、紙幣入出金装置２に電気的に接続されており、紙幣入出金装置２との間で各種信号の送受信を行う。硬貨入出金装置３は、紙幣入出金装置２に電気的に接続されており、紙幣入出金装置２との間で各種信号の送受信を行う。硬貨入出金装置３とＰＯＳ端末１００との間の信号の送受信は、紙幣入出金装置２を介して行う。
【００１０】
紙幣入出金装置２は、筐体４と、紙幣投入口５と、紙幣払出口６と、操作キー７と、表示パネル８と、紙幣収納部（不図示）と、紙幣選別部（不図示）と、紙幣搬送系（不図示）とを備えている。
紙幣投入口５および紙幣払出口６は、筐体４の上面の手前側に設けられている。操作キー７および表示パネル８は、筐体４の正面に配されている。
【００１１】
紙幣収納部、紙幣選別部、および紙幣搬送系は、筐体４内に収納されている。紙幣収納部は筐体４の奥側に配されており、紙幣選別部は紙幣投入口５から紙幣収納部までの間に位置している。紙幣搬送系は、紙幣投入口５から紙幣選別部および紙幣収納部を経て紙幣払出口６まで紙幣を搬送するものである。
【００１２】
このような構成の紙幣入出金装置２は、紙幣投入口５から投入された紙幣を搬送しながら金種別に選別し金種別に紙幣収納部に収納する。そして、紙幣入出金装置２は、紙幣の払出し指示を伝える信号をＰＯＳ端末１００から受信すると、該当の金種の紙幣を紙幣収納部から搬送してきて紙幣払出口６から払い出す。
【００１３】
硬貨入出金装置３は、筐体９と、硬貨投入口１０と、硬貨払出口１１と、操作キー１２と、表示パネル１３と、硬貨選別部（不図示）と、硬貨収納部３２（図５参照）と、硬貨搬送系（この一部である収納後搬送系３３は図５参照）とを備えている。
硬貨投入口１０、操作キー１２および表示パネル１３は、筐体９の上面の手前側に設けられている。硬貨払出口１１は、筐体９の正面に設けられている。
【００１４】
硬貨収納部３２、硬貨選別部、および硬貨搬送系は、筐体９内に収納されている。硬貨収納部３２は筐体９の奥側に配されており、硬貨選別部は硬貨投入口１０から硬貨収納部３２までの間に位置している。硬貨搬送系は、硬貨投入口１０から硬貨選別部および硬貨収納部３２を経て硬貨払出口１１まで硬貨を搬送するものである。
【００１５】
このような構成の硬貨入出金装置３は、硬貨投入口１０から投入された硬貨を搬送しながら金種別に選別し金種別に硬貨収納部３２に収納する。そして、硬貨入出金装置３は、硬貨の払出し指示を伝えるＰＯＳ端末１００からの信号を紙幣入出金装置２を介して受信すると、該当の金種の硬貨を硬貨収納部３２から搬送してきて硬貨払出口１１から払い出す。
【００１６】
図２は、紙幣入出金装置２の一部の構造を説明する斜視図である。図２に示すように、紙幣入出金装置２の筐体４は、前面４ａに把手４ｂが設けられた抽斗状の容器であって、把手４ｂを把持して引き出すことによって、筐体４に収められた紙幣収納部（不図示）や紙幣選別部（不図示）が、筐体４外に露出するように形成されている。筐体４内の紙幣収納部よりも手前に、カセット収納スペースＳが設けられている。カセット収納スペースＳは、貨幣を回収するための容器である回収カセットＣを出し入れ自在に収納する。
【００１７】
図３は、回収カセットＣの構造を示す縦断正面図である。回収カセットＣには、２種類あり、硬貨回収用の回収カセットＣ１（図３（ａ）参照）と紙幣回収用の回収カセットＣ２（図３（ｂ）参照）とがある。これらの回収カセットＣ１と回収カセットＣ２との違いは後述する。
【００１８】
図４は、カセット収納スペースＳに回収カセットＣ１を収納した様子を示す縦断正面図である。図４に示すように、カセット収納スペースＳの底を形成する底板１４には、２つの貫通孔１５，１６が形成されており、各貫通孔１５，１６には、嵌合軸１７，１８の上端部１７ａ，１８ａが摺動自在に貫通している。
筐体４の底板４ｃとカセット収納スペースＳの底板１４との間には、支持板１９が備えられている。支持板１９は、底板４ｃおよび底板１４とそれぞれ所定間隔を空けて対向している。
【００１９】
支持板１９には、軸支持孔２０，２１が形成されており、軸支持孔２０，２１には、嵌合軸１７，１８の下端部１７ｂ，１８ｂが摺動自在に貫通している。
嵌合軸１７，１８は、上端部１７ａ，１８ａと下端部１７ｂ，１８ｂとの間に、拡径部１７ｃ，１８ｃを有している。拡径部１７ｃ，１８ｃは、底板１４と支持板１９との間に位置しており、底板１４側へ向かってバネ２２，２３で付勢されている。これにより、上端部１７ａ，１８ａは、外力が加えられないとき貫通孔１５，１６から上方へ突出した状態となる。
【００２０】
支持板１９と底板４ｃとの間であって、上端部１７ａ，１８ａがバネ２２，２３の付勢に逆らって押されたときに下端部１７ｂ，１８ｂの先端が達する位置には、光センサ２４，２５が配されている。
光センサ２４，２５は、発光部とこの発光部が発した光を受ける受光部とを有しており、発光部と受光部との間に光を遮る物体があるか否かを検知するものである。このような光センサ２４，２５によって、上端部１７ａ，１８ａがバネ２２，２３の付勢に逆らって押された際の下端部１７ｂ，１８ｂを検知する。
【００２１】
回収カセットＣ１は、図３（ａ）に示すように、上面に開閉シャッタ２６と把手２７とを備え、底面に嵌合穴２８を備えている。開閉シャッタ２６は、回収カセットＣ１に形成された開口２９を塞ぐものであって、図示しない機構により開閉自在である（この機構を駆動する開閉駆動部４３を図６に示す）。なお、図２に示すように、筐体４の上面の開閉シャッタ２６に対応する位置には、孔４ｄが設けられている。
把手２７は、回収カセットＣ１を運搬する際に把持するためのものである。嵌合穴２８は、嵌合軸１７の上端部１７ａと嵌合するものであって、嵌合軸１７がバネ２２の付勢に従って上端部１７ａを底板１４から突出させているときの突出高さに相当する深さを有している。
【００２２】
そして、図４に示すように、カセット収納スペースＳに回収カセットＣ１が収納されているときには、嵌合軸１７の上端部１７ａは嵌合穴２８に嵌合する。このとき、嵌合軸１７の下端部１７ｂは、光センサ２４で検知されない。また、嵌合軸１８は、上端部１８ａを回収カセットＣ１の底面によって押されることにより、バネ２３の付勢に逆らって下方へ移動して、下端部１８ｂが光センサ２５で検知される。
【００２３】
回収カセットＣ２は、図３（ｂ）に示すように、上面に把手３０を備え、底面に嵌合穴３１を備えている。把手３０は、回収カセットＣ２を運搬する際に把持するためのものである。嵌合穴３１は、嵌合軸１８の上端部１８ａと嵌合するものであって、嵌合軸１８がバネ２３の付勢に従って上端部１８ａを底板１４から突出させているときの突出高さに相当する深さを有している。
【００２４】
そして、図４に示すように、カセット収納スペースＳに回収カセットＣ２が収納されているときには、嵌合軸１８の上端部１８ａは嵌合穴３１に嵌合する。このとき、嵌合軸１８の下端部１８ｂは、光センサ２５で検知されない。また、嵌合軸１７は、上端部１７ａを回収カセットＣ２の底面によって押されることにより、バネ２２の付勢に逆らって下方へ移動して、下端部１７ｂが光センサ２４で検知される。
【００２５】
なお、紙幣入出金装置２は、紙幣収納部内の紙幣を回収カセットＣ２へと搬送する図示しない機構（この機構を駆動する紙幣回収機構駆動部４４を図６に示す）を備えている。
【００２６】
図５は、硬貨払出口１１周辺の構造を模式的に示した縦断右側面図である。図５（ａ）に示すように、硬貨入出金装置３は、収納後搬送系３３と、搬送経路切替部５０とを備えている。
収納後搬送系３３は、硬貨搬送系のうち、硬貨収納部３２から硬貨払出口１１までの部分であって、駆動プーリ３４と従動プーリ３５とアイドラプーリ３６と搬送ベルト３７とを備えている。搬送ベルト３７はエンドレスのベルトであって、硬貨収納部３２の底部を形成している。このような収納後搬送系３３は、駆動プーリ３４を回転させるモータ（不図示）を含む搬送駆動部４５（図６参照）によって駆動されることにより、硬貨を搬送する。
【００２７】
硬貨払出口１１は、受け皿３８と、案内斜面３９とを備えている。受け皿３８は、払い出された硬貨を受け止めるものである。案内斜面３９は、硬貨収納部３２から搬送されてきた硬貨を受け皿３８へ導くものである。この案内斜面３９によって、図５（ａ）に矢印で示す払出時硬貨搬送経路Ａが形成されている。
【００２８】
搬送経路切替部５０は、回収時案内面４０と、一対の支持部材４１とを備えている。回収時案内面４０は、案内斜面３９に対して平行に近い状態で設けられて所定間隔を空けて対向しており、硬貨回収の際に、孔４ｄを介して、カセット収納スペースＳ内に収納された回収カセットＣ１の開口２９へ、硬貨を導くものである（図５（ｂ）参照）。この回収時案内面４０によって、図５（ｂ）に矢印で示す回収時硬貨搬送経路Ｂが形成されている。
【００２９】
一対の支持部材４１は、幅方向（図５における奥行き方向）に対向して配され、案内斜面３９および回収時案内面４０の両端を支持している。
支持部材４１は、回動軸４２を備え、図示しない機構（この機構を駆動する回動駆動部４６を図６に示す）によって、回動軸４２を中心に所定角度回動自在とされている。ここで、所定角度とは、図５（ａ）に示す状態から図５（ｂ）に示す状態までの回動角度である。
案内斜面３９と回収時案内面４０とが一体に形成されていることによって、回収時案内面４０が硬貨を回収カセットＣ１の開口２９へ導く位置に位置させたとき、案内斜面３９は、硬貨が硬貨払出口１１へ入るのを阻む位置に位置する。
【００３０】
図６は、貨幣入出金装置１の機能構成を示すブロック図である。紙幣入出金装置２は、制御部４７と、開閉駆動部４３と、紙幣回収機構駆動部４４とを備えている。硬貨入出金装置３は、制御部４８と、搬送駆動部４５と、回動駆動部４６とを備えている。
制御部４７，４８は、ＣＰＵ（Central  Processing  Unit）、ＲＯＭ（Read  Only  Memory）、ＲＡＭ（Random  Access  Memory）、Ｉ／Ｏ機器制御部、および通信Ｉ／Ｆ（いずれも不図示）等から構成される。ＲＯＭは、ＣＰＵが実行する各種プログラムや各種データを記憶するものである。ＲＡＭは、ＣＰＵが各種プログラムを実行する際に一時的にデータやプログラムを記憶するものである。
このような制御部４７，４８は、それぞれ、紙幣入出金装置２および硬貨入出金装置３の各部を制御する。
【００３１】
より詳細には、制御部４７は、操作キー７から信号を受信することによりオペレータが行った操作を判断し、表示パネル８に表示させる情報を示す信号を送信し、光センサ２４，２５から信号を受信することにより回収カセットＣの有無や種類を判断し、開閉駆動部４３に信号を送信することにより回収カセットＣ１の開閉シャッタ２６を開閉し、紙幣回収機構駆動部４４に信号を送信することによって紙幣を回収カセットＣ２に搬送する。また、制御部４７は、操作キー１２に硬貨回収を指示する操作があった旨を示す信号を制御部４８から受信すると、制御部４８に、カセット収納スペースＳに回収カセットＣ１があるか否かを示す信号を送信する。
【００３２】
さらに、制御部４７は、制御プログラムに従うことにより信号転送手段を実現するものであって、ＰＯＳ端末１００から受信した各種指示を伝える信号が硬貨入出金装置３への指示を伝えるものであれば、制御部４８へ信号を伝達する。
【００３３】
また、制御部４８は、操作キー１２から信号を受信することによりオペレータが行った操作を判断し、操作キー１２への操作が制御部４７に伝達すべきものであればその旨を示す信号を送信し、表示パネル１３に表示させる情報を示す信号を送信し、搬送駆動部４５に信号を送信することによって収納後搬送系３３を駆動させて硬貨を搬送させ、回動駆動部４６に信号を送信することによって払出時硬貨搬送経路Ａと回収時硬貨搬送経路Ｂとを切り替えさせる。
【００３４】
図７は、貨幣回収処理の流れを示すフローチャートである。この処理は、制御部４７が主となって実行するものであって、オペレータが操作キー７によって紙幣入出金装置２内の紙幣の回収を指示する操作を行うか、または、オペレータが操作キー１２によって硬貨入出金装置３内の硬貨の回収を指示する操作を行って当該操作があったことを制御部４８が制御部４７に伝達すると、実行される。
【００３５】
制御部４７は、回収指示を示す信号を受信すると、回収対象が紙幣なのか硬貨なのかを判定する（ステップＳ１）。この判定にあたっては、例えば、回収指示信号は紙幣と硬貨とで共通とし、制御部４７に回収指示信号を送信してきた送信元が操作キー７なのか制御部４８なのかによって判定してもよいし、また、回収指示信号を紙幣と硬貨とで異なるものとしてもよい。
【００３６】
ステップＳ１で、制御部４７は、回収対象が硬貨であると判断すると、光センサ２４，２５から出力される信号を判断材料に、硬貨用の回収カセットＣ１がカセット収納スペースＳ内にあるか否かを判断する（ステップＳ２）。
ここで、カセット収納スペースＳが空であった場合と、カセット収納スペースＳ内に回収カセットＣ２が収納されていた場合とには（ステップＳ２のＮｏ）、制御部４７は、制御部４８に、回収カセットＣ１がカセット収納スペースＳ内にない旨を示す信号を送信する。当該信号を受信した制御部４８は、表示パネル１３に、オペレータに回収カセットＣ１がないことを知らせる文言を表示させる（ステップＳ３）。
【００３７】
ステップＳ２で、カセット収納スペースＳ内に回収カセットＣ１が収納されていた場合には（ステップＳ２のＹｅｓ）、制御部４７は、開閉駆動部４３に指示して、開閉シャッタ２６を開閉する機構（不図示）を駆動させて開口２９を開放させる（ステップＳ４）。
続いて、制御部４７は、制御部４８に信号を送信して指示することにより、以下のステップＳ５〜ステップＳ７の処理を制御部４８に実行させる。
【００３８】
制御部４８は、回動駆動部４６に、支持部材４１を回動させる機構（不図示）を駆動させるよう指示して、払出時硬貨搬送経路Ａから回収時硬貨搬送経路Ｂに切り替える（ステップＳ５）。次に、制御部４８は、搬送駆動部４５に収納後搬送系３３を駆動させて硬貨を搬送させる（ステップＳ６）。そして、制御部４８は、全ての硬貨が搬送される（ステップＳ７のＹｅｓ）まで、搬送駆動部４５に収納後搬送系３３の駆動を続けさせる（ステップＳ７のＮｏ）。
【００３９】
ステップＳ１で、制御部４７は、回収対象が紙幣であると判断すると、光センサ２４，２５から出力される信号を判断材料に、紙幣用の回収カセットＣ２がカセット収納スペースＳ内にあるか否かを判断する（ステップＳ８）。
ここで、カセット収納スペースＳが空であった場合と、カセット収納スペースＳ内に回収カセットＣ１が収納されていた場合とには（ステップＳ８のＮｏ）、制御部４７は、表示パネル８に、オペレータに回収カセットＣ２がないことを知らせる文言を表示させる（ステップＳ９）。
【００４０】
ステップＳ８で、カセット収納スペースＳ内に回収カセットＣ２が収納されていた場合には（ステップＳ８のＹｅｓ）、制御部４７は、紙幣回収機構駆動部４４に、前述の図示しない機構を駆動させて、紙幣収納部内の紙幣を回収カセットＣ２内へと搬送させる（ステップＳ１０）。
【００４１】
このように、本実施形態によれば、カセット収納スペースＳに収納した回収カセットＣが、硬貨回収用の回収カセットＣ１なのか、紙幣回収用の回収カセットＣ２なのかを制御部４７，４８で認識できるので、貨幣を回収する際には、回収しようとする方の貨幣に対応する回収カセットＣをカセット収納スペースＳに収納して回収指示を出すことによって、所望の貨幣を回収することができる。つまり、回収しようとする貨幣によってやり方を変える必要がなく、同じやり方によってそれぞれの貨幣を回収できるので、作業に慣れやすく容易に行えるようになって回収容器の取り付け不備による不具合を生じさせるおそれが少なくなり、誤操作を減らすことができる。
【００４２】
また、本実施形態によれば、紙幣入出金装置２と硬貨入出金装置３とが重ねられた状態で用いられるので、貨幣入出金装置１の設置スペースを小さくできる。
【００４３】
なお、本実施形態では、払出時硬貨搬送経路Ａから分岐させて設けた回収時硬貨搬送経路Ｂによって、カセット収納スペースＳ内の回収カセットＣ１の開口２９まで硬貨を導いたが、実施にあたっては、例えば、受け皿３８の位置と、孔４ｄおよびカセット収納スペースＳ内の回収カセットＣの開口２９の位置とを対応させて、受け皿３８に開閉自在なシャッタを設ける等してもよい。このような構造であると、受け皿３８のシャッタを開閉することによって、払出時硬貨搬送経路Ａの終端を選択的に延長させて回収時硬貨搬送経路Ｂとすることができる。
【００４４】
また、本実施形態では、嵌合軸１７，１８、光センサ２４，２５、底板１４の貫通孔１５，１６、支持板１９、およびバネ２２，２３により構成される機構によって、回収カセットＣの有無および種類を判別したが、実施にあたっては、異なる機構によって回収カセットＣの有無および種類を判別してもよい。
【００４５】
さらに、本実施形態では、オペレータは紙幣入出金装置２の操作キー７や硬貨入出金装置３の操作キー１２を操作するようにしたが、実施にあたっては、例えばＰＯＳ端末１００が備える操作キーで回収指示を受け付けてもよい。
また、本実施形態では、各種アラートの文言を表示パネル８，１３に表示させるようにしたが、実施にあたっては、例えばＰＯＳ端末１００が備える表示パネルに各種アラートの文言を表示させるようにしてもよいし、音声でオペレータに報知するようにしてもよい。
【００４６】
さらに、実施にあたっては、紙幣入出金装置２と硬貨入出金装置３とを一体に形成して貨幣入出金装置１としてもよいし、紙幣入出金装置２と硬貨入出金装置３とを別体に形成し、留め具等で固定することによって貨幣入出金装置１をなしてもよい。
そして、本実施形態では、貨幣出金装置の一実施形態を貨幣入出金装置１とし、紙幣出金装置の一実施形態を紙幣入出金装置２として説明したが、実施にあたっては、入金機能がなく出金機能を有する貨幣出金装置および紙幣出金装置であってもよい。
【００４７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４８】
１  貨幣入出金装置（貨幣出金装置）、  ２  紙幣入出金装置（紙幣出金装置）、
４  筐体、  ４ｄ  孔、  ９  筐体、  ３２  硬貨収納部、
４７  制御部（信号転送手段）、
５０  搬送経路切替部（切替部）、
Ａ  払出時硬貨搬送経路、  Ｂ  回収時硬貨搬送経路、
Ｃ，Ｃ１，Ｃ２  回収カセット（貨幣回収容器）、
Ｓ  カセット収納スペース（回収容器収納スペース）
【先行技術文献】
【特許文献】
【００４９】
【特許文献１】特開２０００−１３２７２７号公報
【特許文献２】特開２００４−３０２５０３号公報
【図１】
0005592918.tif 000002
【図２】
0005592918.tif 000003
【図３】
0005592918.tif 000004
【図４】
0005592918.tif 000005
【図５】
0005592918.tif 000006
【図６】
0005592918.tif 000007
【図７】
0005592918.tif 000008